(57)【特許請求の範囲】
【請求項１】
マルチキャリアシステムにおけるコンポーネントキャリアのアクティブ化解除の最適化方法であって、
ＵＥが、１つ以上のタイマーをメンテナンスし、
前記タイマーがタイムアウト又は停止した場合、ＵＥが、前記タイマーに対応する１つ以上のコンポーネントキャリア（ＣＣ）をアクティブ化解除し、又は、前記タイマーがタイムアウト又は停止した場合、ＵＥが、前記タイマーに対応する１つ以上のＣＣの識別子情報を基地局に報告し、
前記ＵＥが、１つ以上のＣＣの識別子情報を基地局に報告した後、基地局が、受信された識別子情報に応じて、前記１つ以上のＣＣに対するアクティブ解除コマンド及び／又はスケジューリングコマンドを前記ＵＥに送信し、
前記タイマーがアクティブ化のタイマーであり、
前記方法は、前記ＵＥが、停止条件に従って、前記アクティブ化のタイマーを停止することを含み、
前記停止条件は、
前記ＵＥが、前記アクティブ化のタイマーに対応するＣＣをアクティブ化解除するように指示するアクティブ解除コマンドを受信したこと、及び／又は、
タイミング調整タイマーがタイムアウトし、タイムアウトしたタイミング調整タイマーに対応する１つ以上のＣＣが、前記アクティブ化のタイマーに対応するＣＣを含み、
前記方法は、前記ＵＥが、起動又は再起動の条件に従って、前記アクティブ化のタイマーを起動又は再起動することを含み、
前記起動又は再起動の条件は、
前記ＵＥが、アクティブ化のタイマーに対応するＣＣをアクティブ化するように指示するアクティブコマンドを受信したこと、及び／又は、
前記ＵＥが、前記アクティブ化のタイマーに対応するＣＣで、ダウンリンク割り当てを受信したこと、及び／又は、
前記ＵＥが、前記アクティブ化のタイマーに対応するＣＣで、アップリンク許可を受信したこと、及び／又は、
前記ＵＥが、前記アクティブ化のタイマーに対応するＣＣで、アップリンクデータの送信失敗を示すフィードバックメッセージを受信したこと、及び／又は、
前記ＵＥが、アップリンクデータを送信待ちして、前記アクティブ化のタイマーに対応するＣＣで、アップリンク許可を受信待ちすることを含む
マルチキャリアシステムにおけるコンポーネントキャリアのアクティブ化解除の最適化方法。
【請求項２】
前記方法は、
ＵＥが、前記タイマーに対応する１つ以上のＣＣをアクティブ化解除した後、前記タイマーに対応する１つ以上のＣＣの識別子情報を基地局に報告することを更に含む
請求項１に記載の方法。
【請求項３】
前記ＵＥが、前記１つ以上のＣＣの識別子情報を報告する場合、メディアアクセス制御層（ＭＡＣ）制御要素のフォーマットを用いて、前記１つ以上のＣＣの識別子情報を報告する
請求項１又は２に記載の方法。
【請求項４】
前記タイマーが、タイミング調整タイマーであり、前記タイミング調整タイマーが、１つ以上のアクティブ化とアクティブ化解除との機能を備えるＣＣに対応する
請求項１に記載の方法。
【請求項５】
前記タイマーがアクティブ化のタイマーであり、
前記方法は、前記基地局が、システムメッセージ又は無線リソース制御（ＲＲＣ）メッセージを介して、前記アクティブ化のタイマーの時間長さを前記ＵＥに通知することを更に含む
請求項１に記載の方法。
【請求項６】
マルチキャリアスケジューリングをサポートする場合、前記起動又は再起動の条件は、
前記ＵＥが、前記アクティブ化のタイマーに対応するＣＣでデータを受信するように指示するダウンリンク割り当てを受信したこと、及び／又は、
前記ＵＥが、前記アクティブ化のタイマーに対応するＣＣでフィードバックを受信するように指示するアップリンク許可を受信したことを更に含み、
非連続受信ＤＲＸをサポートする場合、前記起動又は再起動の条件は、
前記アクティブ化のタイマーに対応するＣＣに対応するＤＲＸインアクティビティタイマーが起動又は再起動されたこと、及び／又は、
前記アクティブ化のタイマーに対応するＣＣの任意の１つのダウンリンクハイブリッド自動再送（ＨＡＲＱ）プロセスに対応する再送タイマーが起動されたことを更に含み、
ランダムアクセスをサポートする場合、前記起動又は再起動の条件は、
競合ランダムアクセスプロセスにおいて、競合解決のためのタイマーが起動又は再起動されたこと、及び／又は、
非競合ランダムアクセスプロセスにおいて、ランダムアクセスが成功した後、前記ＵＥが、初送を指示するダウンリンク割り当て又はアップリンク許可を受信待ちすることを更に含む
請求項１に記載の方法。
【請求項７】
前記タイマーがアクティブ化解除のタイマーであり、
前記方法は、前記ＵＥが起動又は再起動の条件に従って、前記アクティブ化解除のタイマーを起動又は再起動することを更に含み、
前記起動又は再起動の条件が、
前記アクティブ化解除のタイマーに対応するＣＣで、ダウンリンク伝送の受信が成功したこと、及び／又は、
前記アクティブ化解除のタイマーに対応するＣＣで、アップリンク伝送の送信が成功したことを含む
請求項１に記載の方法。
【請求項８】
ＤＲＸをサポートする場合、前記起動又は再起動の条件は、
前記アクティブ化解除のタイマーに対応するＣＣに対応するＤＲＸインアクティビティタイマーがタイムアウトしたこと、及び／又は、
前記アクティブ化解除のタイマーに対応するＣＣの全てのダウンリンクＨＡＲＱプロセスの再送タイマーがタイムアウトしたことを更に含む
請求項７に記載の方法。
【請求項９】
前記タイマーがアクティブ化解除のタイマーであり、
前記方法は、前記ＵＥが停止条件に従って、前記アクティブ化解除のタイマーを停止することを更に含み、
前記停止条件が、
前記ＵＥが、前記アクティブ化解除のタイマーに対応するＣＣで、ダウンリンク割り当てを受信したこと、及び／又は、
前記ＵＥが、前記アクティブ化解除のタイマーに対応するＣＣで、アップリンク許可を受信したこと、及び／又は、
前記アクティブ化解除のタイマーに対応するＣＣで、アップリンク伝送の送信が失敗したこと、及び／又は、
前記アクティブ化解除のタイマーに対応するＣＣで、ダウンリンク伝送の受信が失敗したことを含む
請求項１に記載の方法。
【請求項１０】
マルチキャリアスケジューリングをサポートする場合、前記停止条件は、
前記ＵＥが、前記アクティブ化解除のタイマーに対応するＣＣでデータを受信するように指示するダウンリンク割り当てを受信したこと、及び／又は、
前記ＵＥが、前記アクティブ化解除のタイマーに対応するＣＣでフィードバックを受信するように指示するアップリンク許可を受信したことを更に含む
請求項９に記載の方法。
【請求項１１】
マルチキャリアシステムにおけるコンポーネントキャリアのアクティブ化・アクティブ化解除の最適化システムであって、
１つ以上のタイマーをメンテナンスし、前記タイマーがタイムアウト又は停止した場合、前記タイマーに対応する１つ以上のコンポーネントキャリア（ＣＣ）をアクティブ化解除し、又は、前記タイマーがタイムアウト又は停止した場合、前記タイマーに対応する１つ以上のＣＣの識別子情報を基地局に報告するように設定されるＵＥと、
受信された識別子情報に応じて、前記１つ以上のＣＣに対するアクティブ解除コマンド及び／又はスケジューリングコマンドを前記ＵＥに送信するように設定される前記基地局とを含み、
前記タイマーがアクティブ化のタイマーであり、
前記ＵＥが、停止条件に従って、前記アクティブ化のタイマーを停止し、
前記停止条件は、
前記ＵＥが、前記アクティブ化のタイマーに対応するＣＣをアクティブ化解除するように指示するアクティブ解除コマンドを受信したこと、及び／又は、
タイミング調整タイマーがタイムアウトし、タイムアウトしたタイミング調整タイマーに対応する１つ以上のＣＣが、前記アクティブ化のタイマーに対応するＣＣを含むことを含み、
前記ＵＥが、起動又は再起動の条件に従って、前記アクティブ化のタイマーを起動又は再起動し、
前記起動又は再起動の条件は、
前記ＵＥが、アクティブ化のタイマーに対応するＣＣをアクティブ化するように指示するアクティブコマンドを受信したこと、及び／又は、
前記ＵＥが、前記アクティブ化のタイマーに対応するＣＣで、ダウンリンク割り当てを受信したこと、及び／又は、
前記ＵＥが、前記アクティブ化のタイマーに対応するＣＣで、アップリンク許可を受信したこと、及び／又は、
前記ＵＥが、前記アクティブ化のタイマーに対応するＣＣで、アップリンクデータの送信失敗を示すフィードバックメッセージを受信したこと、及び／又は、
前記ＵＥが、アップリンクデータを送信待ちして、前記アクティブ化のタイマーに対応するＣＣで、アップリンク許可を受信待ちすることを含む
マルチキャリアシステムにおけるコンポーネントキャリアのアクティブ化・アクティブ化解除の最適化システム。
【発明の詳細な説明】
【技術分野】
【０００１】
本発明は、通信分野に関し、特に、マルチキャリアシステムにおけるコンポーネントキャリアのアクティブ化・アクティブ化解除の最適化方法及びシステムに関する。
【背景技術】
【０００２】
増加しつつある広帯域高速移動アクセスの要求を満たすために、第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔｓ）は、ロングタームエボリューションアドバンスト（ＬＴＥ−Ａｄｖａｎｃｅｄ又はＬＴＥ−Ａ：Ｌｏｎｇ  Ｔｅｒｍ  Ｅｖｏｌｕｔｉｏｎ  ａｄｖａｎｃｅｄ）標準を提出する。周波数スペクトルの利用効率を向上させ、システム容量を増加させるなどの目的を達成するために、ＬＴＥ−ＡはＬＴＥに基づいて、一連の新技術を採用し、周波数領域、空間領域に対して拡張を行う。ここで、キャリアアグリゲーション技術は、２つ以上のコンポーネントキャリア（ＣＣ：Ｃｏｍｐｏｎｅｎｔ  Ｃａｒｒｉｅｒ）をアグリゲートすることで、より広い周波数帯（例えば、１００ＭＨｚに達すること及び周波数スペクトルアグリゲーション）をサポートすることができる。ユーザ装置（ＵＥ：Ｕｓｅｒ  Ｅｑｕｉｐｍｅｎｔ）は、１つ以上のコンポーネントキャリアで、データを同時に受信又は送信でき、ダウンリンク又はアップリンクにおける、異なる帯幅域を有する異なる個数のコンポーネントキャリアをアグリゲートすることを構成できる。各コンポーネントキャリアは、１つのハイブリッド自動再送（ＨＡＲＱ：Ｈｙｂｒｉｄ  Ａｕｔｏｍａｔｉｃ  Ｒｅｐｅａｔ  Ｒｅｑｕｅｓｔ）エンティティと伝送チャネルに対応する。各ダウンリンクコンポーネントキャリアには、それぞれ、本コンポーネントキャリアでのリソース割り当て又は他のコンポーネントキャリアでのリソース割り当てを指示するための１つの独立な物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）があり、ダウンリンクリソース割り当ての場合又はアップリンク許可の場合に分けられ、ＰＤＣＣＨには、コンポーネントキャリアの識別子情報を示す０〜３ｂｉｔがある。拡張コンポーネントキャリアは、ＰＤＣＣＨがない可能性もあり、そのリソース割り当てが、ＰＤＣＣＨがあるほかのコンポーネントキャリアの指示に依存する。ＬＴＥ−Ａキャリアアグリゲーションにおいて、同期、アクセス、システム情報、呼び出し等の機能を提供するために、ＵＥのサービングセル（Ｓｅｒｖｉｎｇ  ｃｅｌｌ）とする１つのコンポーネントキャリアが存在し、又は、上記機能を提供するために、ＵＥのサービングセルとする複数のコンポーネントキャリアが存在し、ここで、１つのサービングセルが、プライマリサービングセル（Ｐｒｉｍａｒｙ  ｓｅｒｖｉｎｇ  ｃｅｌｌ）として設定され、測定と参照、ハンドオーバー、ランダムアクセスの場合の優先選択セル又は主制御セルとすることができる。全部又は複数のアップリンクコンポーネントキャリアについて、同じタイミング調整（ＴＡ）量又は異なるタイミング調整量を持つ可能性がある。ＴＡが同じ場合に、ＵＥは、これらのコンポーネントキャリアに対し、同一のタイミング調整タイマー（ＴＡＴ）をメンテナンスする。タイミング調整タイマー（ＴＡＴ）の運転は、ＵＥがこれらのコンポーネントキャリアにおいてネットワークと、アップリンク同期状態にあると意味し、ＴＡＴのタイムアウトは、これらのコンポーネントキャリア��おいてネットワークと、アップリンク同期外れ状態にあると意味する。ＴＡが異なる場合に、ＵＥは、対応するコンポーネントキャリアに対し、ＴＡＴをそれぞれメンテナンスする。対応するタイミング調整タイマー（ＴＡＴ）の運転は、ＵＥがこれらのコンポーネントキャリアにおいてネットワークと、アップリンク同期状態にあると意味し、対応するＴＡＴのタイムアウトは、これらのコンポーネントキャリアにおいてネットワークと、アップリンク同期外れ状態にあると意味する。
【０００３】
ＵＥのサービスが帯域幅に対する要求が、減少する場合、基地局は、ある一部のＣＣをアクティブ化解除することができる。逆に、ＵＥのサービスが帯域幅に対する要求が、増加する場合、基地局は、ある一部のＣＣをアクティブ化することができる。図１に示すように、ＵＥが、ＣＣをアクティブ化解除するコマンドを受信する場合、ＣＣをアクティブ状態からアクティブ解除状態にさせ、ＵＥが、ＣＣをアクティブ化するコマンドを受信する場合、ＣＣをアクティブ解除状態からアクティブ状態にさせる。ＣＣがアクティブ解除状態に進むことは、ＣＣがスケジューリングをもう受信しないと表し、ＣＣがアクティブ状態に進むことは、ＣＣがスケジューリングを再び参加すると表し、不連続受信（ＤＲＸ）を構成しているＣＣにとって、ＣＣがＤＲＸ状態に再び進むと意味し、ＤＲＸを構成していないＣＣにとって、ＣＣがアクティブ状態に進み、ずっとＰＤＣＣＨを監視すると意味する。ＣＣをアクティブ化解除する概念は、ＣＣを削除する概念と同じではない。ＣＣがすべてスケジューリングに用いられないが、ＣＣをアクティブ化解除することは、ＣＣの無線リソース制御（ＲＲＣ：Ｒａｄｉｏ  Ｒｅｓｏｕｒｃｅｓ  Ｃｏｎｔｒｏｌ）の構成情報（例えば、物理層（ＰＨＹ）、メディアアクセス制御層（ＭＡＣ）等の関連パラメータ）を保留し、ＣＣを削除することは、ＣＣのＲＲＣ構成情報を削除する。アクティブ解除状態は、ＤＲＸにおける非アクティブ状態とも同じではない。アクティブ解除状態は、自動的にアクティブ状態に進むことができないが、ＤＲＸにおける非アクティブ状態は、タイマー（ｏｎ  ｄｕｒａｔｉｏｎ  ｔｉｍｅｒ）が起動又は再起動される場合、自動的にアクティブ状態に進むことができる。
【０００４】
現在、アクティブコマンド、アクティブ解除コマンドが、ダウンリンク制御情報（ＤＣＩ）、ＭＡＣ制御要素（ＭＡＣ  ＣＥ）、ＲＲＣメッセージの方式で伝送されることができる。ここで、ＤＣＩの適時性が最もよいが、ＤＣＩの１つの大きな欠点は、信頼性がよりよくないことである。ＰＤＣＣＨの復号化が失敗した場合、基地局がアクティブ化したと思ったＣＣでデータを送信するが、ＵＥが受信できないことを引き起こし、又は、ＵＥがスケジューリングを待つ必要がなくなる。
【発明の概要】
【発明が解決しようとする課題】
【０００５】
ＬＴＥ−Ａシステムキャリアアグリゲーション技術のアクティブ化・アクティブ化解除の信頼性を向上させるように、本発明は、マルチキャリアシステムにおけるコンポーネントキャリアのアクティブ化・アクティブ化解除の最適化方法及びシステムを提出する。
【課題を解決するための手段】
【０００６】
上記の技術的問題を解決するために、本発明は、マルチキャリアシステムにおけるコンポーネントキャリアのアクティブ化・アクティブ化解除の最適化方法を提供し、当該方法は、
コンポーネントキャリア（ＣＣ）をアクティブ化する場合、基地局がダウンリンク制御情報（ＤＣＩ）を介して、アクティブコマンドをユーザ装置（ＵＥ）に送信することで、ＣＣをアクティブ化するようにＵＥに指示し、前記ＵＥが前記アクティブコマンドを成功的に受信した場合、前記ＣＣをアクティブ化して、前記アクティブコマンドのフィードバックメッセージを前記基地局に送信し、
ＣＣをアクティブ化解除する場合、基地局がＤＣＩを介して、アクティブ解除コマンドをＵＥに送信することで、ＣＣをアクティブ化解除するようにＵＥに指示し、前記ＵＥが前記アクティブ解除コマンドを成功的に受信した場合、前記ＣＣをアクティブ化解除して、前記アクティブ解除コマンドのフィードバックメッセージを前記基地局に送信することを含む。
【０００７】
上記方法は、
基地局が、アクティブコマンドをＵＥに送信した後、所定時刻で、アクティブコマンドのフィードバックメッセージを受信していない場合、アクティブコマンドをＵＥに再送信し、
基地局が、アクティブ解除コマンドをＵＥに送信した後、所定時刻で、アクティブ解除コマンドのフィードバックメッセージを受信していない場合、アクティブ解除コマンドをＵＥに再送信することを更に含むことができる。
【０００８】
上記方法は、
基地局が、アクティブコマンド、又はシステム情報、又は無線資源制御（ＲＲＣ）メッセージを介して、アクティブコマンドのフィードバックメッセージを伝送するＣＣを指定し、
基地局が、アクティブ解除コマンド、又はシステム情報、又はＲＲＣメッセージを介して、アクティブ解除コマンドのフィードバックメッセージを伝送するＣＣを指定することを更に含むことができる。
【０００９】
本発明は、マルチキャリアシステムにおけるコンポーネントキャリアアクティブ化・アクティブ化解除の最適化方法を更に提供し、当該方法は、
ＣＣをアクティブ化する場合、基地局がＤＣＩを介して、アクティブコマンドをＵＥに複数回連続送信することで、ＣＣをアクティブ化するようにＵＥに指示し、前記ＵＥが前記アクティブコマンドを１回以上成功的に受信した場合、前記ＣＣをアクティブ化し、
ＣＣをアクティブ化解除する場合、基地局がＤＣＩを介して、アクティブ解除コマンドをＵＥに複数回連続送信することで、ＣＣをアクティブ化解除するようにＵＥに指示し、ＵＥが前記アクティブ解除コマンドを１回以上成功的に受信した場合、前記ＣＣをアクティブ化解除することを含む。
【００１０】
上記方法は、
ＵＥがアクティブコマンドを成功的に受信した場合、当該アクティブコマンドのフィードバックメッセージを基地局に送信し、
ＵＥがアクティブ解除コマンドを成功的に受信した場合、当該アクティブ解除コマンドのフィードバックメッセージを基地局に送信することを更に含むことができる。
【００１１】
当該方法は、
基地局がアクティブコマンド、又はシステム情報、又はＲＲＣメッセージを介して、アクティブコマンドのフィードバックメッセージを伝送するＣＣを指定し、
基地局がアクティブ解除コマンド、又はシステム情報、又はＲＲＣメッセージを介して、アクティブ解除コマンドのフィードバックメッセージを伝送するＣＣを指定することを更に含むことができる。
【００１２】
本発明は、マルチキャリアシステムにおけるコンポーネントキャリアアクティブ化解除の最適化方法を更に提供し、当該方法は、
ＵＥが、１つ以上のタイマーをメンテナンスし、
前記タイマーがタイムアウト又は停止した場合、ＵＥが、前記タイマーに対応する１つ以上のＣＣをアクティブ化解除し、又は、前記タイマーがタイムアウト又は停止した場合、ＵＥが、前記タイマーに対応する１つ以上のＣＣの識別子情報を基地局に報告することを含む。
【００１３】
上記方法は、
ＵＥが、タイマーに対応する１つ以上のＣＣをアクティブ化解除した後、当該タイマーに対応する１つ以上のＣＣの識別子情報を基地局に報告することを更に含むことができる。
【００１４】
上記方法は、
ＵＥが、１つ以上のＣＣの識別子情報を基地局に報告した後、基地局が受信された識別子情報に応じて、ＣＣに対するアクティブ解除コマンド及び／又はスケジューリングコマンドをＵＥに送信することを更に含むことができる。
【００１５】
上記方法は、
ＵＥが、１つ以上のＣＣの識別子情報を報告する場合、メディアアクセス制御層（ＭＡＣ）制御要素のフォーマットを用いて、１つ以上のＣＣの識別子情報を報告することを更に含むことができる。
【００１６】
上記方法は、
タイマーがタイミング調整タイマーであり、タイミング調整タイマーが１つ以上のアクティブ化機能とアクティブ化解除機能とを含むＣＣに対応することを更に含むことができる。
【００１７】
上記方法は、
タイマーがアクティブ化のタイマーである場合、基地局がシステムメッセージ又はＲＲＣメッセージを介して、アクティブ化のタイマーの時間長さをＵＥに通知することを更に含むことができる。
【００１８】
上記方法は、
タイマーがアクティブ化のタイマーである場合、ＵＥが停止条件に従って、アクティブ化のタイマーを停止することを更に含むことができ、当該停止条件は、
前記ＵＥが、アクティブ化のタイマーに対応するＣＣをアクティブ化解除するように指示するアクティブ解除コマンドを受信したこと、及び／又は、
タイミング調整タイマーがタイムアウトした場合、タイムアウトしたタイミング調整タイマーに対応する１つ以上のＣＣが、アクティブ化のタイマーに対応するＣＣを含むことを含むことができる。
【００１９】
上記方法は、
タイマーがアクティブ化のタイマーである場合、ＵＥが起動又は再起動の条件に従って、アクティブ化のタイマーを起動又は再起動することを更に含むことができ、当該起動又は再起動の条件は、
ＵＥが、アクティブ化のタイマーに対応するＣＣをアクティブ化するように指示するアクティブコマンドを受信したこと、及び／又は、
ＵＥが、アクティブ化のタイマーに対応するＣＣで、ダウンリンク割り当てを受信したこと、及び／又は、
ＵＥが、アクティブ化のタイマーに対応するＣＣで、アップリンク許可を受信したこと、及び／又は、
ＵＥが、アクティブ化のタイマーに対応するＣＣで、アップリンクデータの送信失敗を示すフィードバックメッセージを受信したこと、及び／又は、
ＵＥが、アップリンクデータを送信待ちして、アクティブ化のタイマーに対応するＣＣでアップリンク許可を受信待ちすることを含むことができる。
【００２０】
マルチキャリアスケジューリングをサポートする場合、アクティブ化のタイマーを起動又は再起動する条件は、
ＵＥが、アクティブ化のタイマーに対応するＣＣでデータを受信するように指示するダウンリンク割り当てを受信したこと、及び／又は、
ＵＥが、アクティブ化のタイマーに対応するＣＣでフィードバックを受信するように指示するアップリンク許可を受信したことを更に含むことができる。
【００２１】
非連続受信（ＤＲＸ）をサポートする場合、アクティブ化のタイマーを起動又は再起動する条件は、
アクティブ化のタイマーに対応するＣＣに対応するＤＲＸインアクティビティタイマーが起動又は再起動されたこと、及び／又は、
アクティブ化のタイマーに対応するＣＣの任意の１つのダウンリンクＨＡＲＱプロセスに対応する再送タイマーが起動されたことを更に含むことができる。
【００２２】
ランダムアクセスをサポートする場合、アクティブ化のタイマーを起動又は再起動する条件は、
競合ランダムアクセスプロセスにおいて、競合解決のためのタイマーが起動又は再起動されたこと、及び／又は、
非競合ランダムアクセスプロセスにおいて、ランダムアクセスが成功した後、ＵＥが、初送を指示するダウンリンク割り当て又はアップリンク許可を受信待ちすることを更に含むことができる。
【００２３】
上記方法は、
前記タイマーがアクティブ化解除のタイマーである場合、前記ＵＥが起動又は再起動の条件に従って、アクティブ化解除のタイマーを起動又は再起動することを更に含むことができ、当該起動又は再起動の条件は、
アクティブ化解除のタイマーに対応するＣＣで、ダウンリンク伝送の受信が成功したこと、及び／又は、
アクティブ化解除のタイマーに対応するＣＣで、アップリンク伝送の送信が成功したことを含むことができる。
【００２４】
ＤＲＸをサポートする場合、ＵＥがアクティブ化解除のタイマーを起動又は再起動する条件は、
アクティブ化解除のタイマーに対応するＣＣに対応するＤＲＸインアクティビティタイマーがタイムアウトしたこと、及び／又は、
アクティブ化解除のタイマーに対応するＣＣの全てダウンリンクＨＡＲＱプロセスの再送タイマーがタイムアウトしたことを更に含むことができる。
【００２５】
上記方法は、
前記タイマーがアクティブ化解除のタイマーである場合、前記ＵＥが停止条件に従って、アクティブ化解除のタイマーを停止することを更に含むことができ、当該停止条件は、
ＵＥが、アクティブ化解除のタイマーに対応するＣＣで、ダウンリンク割り当てを受信したこと、及び／又は、
ＵＥが、アクティブ化解除のタイマーに対応するＣＣで、アップリンク許可を受信したこと、及び／又は、
アクティブ化解除のタイマーに対応するＣＣで、アップリンク伝送の送信が失敗したこと、及び／又は、
アクティブ化解除のタイマーに対応するＣＣで、ダウンリンク伝送の受信が失敗したことを含むことができる。
【００２６】
マルチキャリアスケジューリングをサポートする場合、ＵＥがアクティブ化解除のタイマーを停止する条件は、
ＵＥが、アクティブ化解除のタイマーに対応するＣＣでデータを受信するように指示するダウンリンク割り当てを受信したこと、及び／又は、
ＵＥが、アクティブ化解除のタイマーに対応するＣＣでフィードバックを受信するように指示するアップリンク許可を受信したことを更に含むことができる。
【００２７】
本発明は、マルチキャリアシステムにおけるコンポーネントキャリアアクティブ化・アクティブ化解除の最適化方法を更に提供し、当該方法は、
ＵＥが、ＣＣの状態を基地局に報告し、
前記基地局が、受信されたＣＣの状態に応じて、自局で記憶された前記ＣＣの状態に一致するかどうかを判断し、一致しない場合、アクティブコマンド及び／又はアクティブ解除コマンドを前記ＵＥに送信することを含む。
【００２８】
上記方法において、ＵＥが、ＭＡＣ制御要素の方式でＣＣの状態を基地局に報告することができる。ＭＡＣ制御要素には、アクティブ状態にあるＣＣの識別子情報、及び／又は、アクティブ解除状態にあるＣＣの識別子情報が含まれ、又は、ＭＡＣ制御要素には、アクティブ状態にあるＣＣ及び／又はアクティブ解除状態にあるＣＣを指示するビットマップが含まれる。
【００２９】
上記方法において、ＵＥは、以下の条件に従って、ＣＣの状態を基地局に報告でき、前記条件は
周期的に報告すること、及び／又は、
ＵＥが、アクティブコマンド又はアクティブ解除コマンドを受信したこと、及び／又は、
ＵＥが、基地局から送信されたＭＡＣ制御要素を受信し、ＣＣ状態を報告するようにＵＥに要求すること、及び／又は、
アップリンク許可のパディングビットが前記ＭＡＣ制御要素及びそのＭＡＣのサブヘッダをパディングできるように十分であることを更に含むことができ、ここで、
非パディングビットを用いてＣＣ状態を伝送するＭＡＣ制御要素の優先度が、セル無線ネットワーク一時識別子（Ｃ−ＲＮＴＩ）を伝送するＭＡＣ制御要素より低くてよく、アップリンク共通制御チャネル（ＵＬ−ＣＣＣＨ）からのデータより低くてもよいし、非パディングビットを用いてバッファ状態レポート（ＢＳＲ）を伝送するＭＡＣ制御要素より高くてもよい、
パディングビットを用いてＣＣ状態を伝送するＭＡＣ制御要素の優先度が、ロジックチャネルからのデータより低くてよく、パディングビットを用いてＢＳＲを伝送するＭＡＣ制御要素より低くてもよい。
【００３０】
周期的に報告することは、周期タイマーがタイムアウトした場合、報告することであってよく、毎回報告する場合に、周期タイマーが起動又は再起動されてよい。
【００３１】
当該方法は、基地局がシステムメッセージ又はＲＲＣメッセージを介して周期タイマーの時間長さをＵＥに通知することを更に含むことができる。
【００３２】
本発明は、マルチキャリアシステムにおけるコンポーネントキャリアアのクティブ化・アクティブ化解除の最適化システムを更に提供し、当該システムは、
ＤＣＩを介してアクティブコマンドをＵＥに送信することで、前記ＣＣをアクティブ化するようにＵＥに指示し、ＤＣＩを介してアクティブ解除コマンドをＵＥに送信することで、前記ＣＣをアクティブ化解除するようにＵＥに指示するように設定される基地局と、
前記アクティブコマンドを成功的に受信した場合、前記ＣＣをアクティブ化して、前記アクティブコマンドのフィードバックメッセージを前記基地局に送信し、前記アクティブ解除コマンドを成功的に受信した場合、前記ＣＣをアクティブ化解除して、前記アクティブ解除コマンドのフィードバックメッセージを前記基地局に送信するように設定されるＵＥとを含む。
【００３３】
本発明は、マルチキャリアシステムにおけるコンポーネントキャリアのアクティブ化・アクティブ化解除の最適化システムを更に提供し、当該システムは、
ＤＣＩを介してアクティブコマンドをＵＥに複数回連続送信することで、ＣＣをアクティブ化するようにＵＥに指示し、及び、ＤＣＩを介してアクティブ解除コマンドをＵＥに複数回連続送信することで、ＣＣをアクティブ化解除するようにＵＥに指示するように設定される基地局と、
前記アクティブコマンドを１回以上成功的に受信した場合、前記ＣＣをアクティブ化し、前記アクティブ解除コマンドを１回以上成功的に受信した場合、前記ＣＣをアクティブ化解除するように設定されるＵＥとを含む。
【００３４】
本発明は、マルチキャリアシステムにおけるコンポーネントキャリアのアクティブ化・アクティブ化解除の最適化システムを更に提供し、当該システムは、
１つ以上のタイマーをメンテナンスし、前記タイマーがタイムアウト又は停止した場合、前記ＵＥが前記タイマーに対応する１つ以上のＣＣをアクティブ化解除し、又は、前記タイマーがタイムアウト又は停止した場合、前記ＵＥが前記タイマーに対応する１つ以上のＣＣの識別子情報を基地局に報告するように設定されるＵＥと、
受信された識別子情報に応じて、前記ＣＣに対するアクティブ解除コマンド及び／又はスケジューリングコマンドを前記ＵＥに送信するように設定される基地局とを含む。
【００３５】
本発明は、マルチキャリアシステムにおけるコンポーネントキャリアのアクティブ化・アクティブ化解除の最適化システムを更に提供し、当該システムは、
ＣＣの状態を基地局に報告するように設定されるＵＥと、
受信されたＣＣ状態に応じて、自局で記憶された前記ＣＣの状態に一致するかどうかを判断し、一致しない場合、アクティブコマンド及び／又はアクティブ解除コマンドを前記ＵＥに送信するように設定される基地局とを含む。
【発明の効果】
【００３６】
本発明は、ＬＴＥ−Ａシステムキャリアアグリゲーション技術のアクティブ化・アクティブ化解除の信頼性を向上させることができ、構成と動作が簡単であり、基地局とＵＥとの間のＣＣ状態が一致することが保証されるなどの利点がある。
【図面の簡単な説明】
【００３７】
【図１】アクティブ化・アクティブ化解除の状態遷移図を示す。
【図２】本発明の実施例においてＵＥからのフィードバックに応じて、アクティブコマンドを送信することを示す図である。
【図３】本発明の実施例においてアクティブコマンドを連続送信することを示す図である。
【図４】本発明の実施例においてＵＥからのフィードバックに応じて、アクティブ解除コマンドを送信することを示す図である。
【図５】本発明の実施例においてアクティブ解除コマンドを連続送信することを示す図である。
【発明を実施するための形態】
【００３８】
本発明では、ＬＴＥ−Ａシステムキャリアアグリゲーション技術に関するアクティブ化・アクティブ化解除に対する信頼性がある解決策が提供されている。当該解決策は、以下の方法を含む。
【００３９】
方法１（アクティブ化・アクティブ化解除に適合される）は、
ＤＣＩ方式を採用し、具体的に、以下の２つの実現方式を含む。
【００４０】
方式Ａ：
ＣＣをアクティブ化する場合、基地局は、ＤＣＩを介してアクティブコマンドをＵＥに送信することで、前記ＣＣをアクティブ化するようにＵＥに指示し、前記ＵＥは、前記アクティブコマンドを成功的に受信した場合、前記ＣＣをアクティブ化して、受信成功のフィードバックメッセージを前記基地局に送信し、
ＣＣをアクティブ化解除する場合、基地局は、ＤＣＩを介してアクティブ解除コマンドをＵＥに送信することで、前記ＣＣをアクティブ化解除するようにＵＥに指示し、前記ＵＥは、前記アクティブ解除コマンドを成功的に受信した場合、前記ＣＣをアクティブ化解除して、受信成功のフィードバックメッセージを前記基地局に送信する。
【００４１】
方式Ｂ：
ＣＣをアクティブ化する場合、基地局は、ＤＣＩを介してアクティブコマンドをＵＥに複数回連続送信することで、前記ＣＣをアクティブ化するようにＵＥに指示し、前記ＵＥは、前記複数回のアクティブコマンドを１回以上成功的に受信した場合、前記ＣＣをアクティブ化し、
ＣＣをアクティブ化解除する場合、基地局は、ＤＣＩを介してアクティブ解除コマンドをＵＥに複数回連続送信することで、前記ＣＣをアクティブ化解除するようにＵＥに指示し、ＵＥは、前記複数回のアクティブ解除コマンドを１回以上成功的に受信した場合、前記ＣＣをアクティブ化解除する。
【００４２】
方式Ａと方式Ｂにおいて、
アクティブコマンド及び／又はアクティブ解除コマンドは、１つ以上のＣＣをアクティブ化する及び／又はアクティブ化解除することができる。アクティブコマンドには、アクティブ化される１つ以上のＣＣの識別子情報が含まれる必要があり、アクティブ解除コマンドが、アクティブ化解除されるＣＣで伝送されない場合、アクティブ化解除される１つ以上のＣＣの識別子情報が含まれる必要がある。
【００４３】
方法２（アクティブ化解除に適合される）は、
タイマー方式を採用し、具体的に、
ＵＥが、１つ以上のタイマーをメンテナンスし、
前記タイマーがタイムアウト又は停止した場合、ＵＥが、前記タイマーに対応する１つ以上のＣＣをアクティブ化解除し、又は、前記タイマーがタイムアウト又は停止した場合、ＵＥが、前記タイマーに対応する１つ以上のＣＣの識別子情報を基地局に報告し、
基地局が、前記識別子情報に応じて、前記ＣＣに対するアクティブ解除コマンド及び／又はスケジューリングコマンドを前記ＵＥに送信することを含む。
【００４４】
方法３（アクティブ化・アクティブ化解除に適合される）は、
ＣＣ状態を報告する方式を採用し、具体的に、
ＵＥが、ＣＣの状態を基地局に報告し、
前記基地局が、受信されたＣＣ状態に応じて、自局で記憶された前記ＣＣの状態に一致するかどうかを判断し、一致しない場合、アクティブコマンド及び／又はアクティブ解除コマンドを前記ＵＥに送信することを含む。
【００４５】
以下、図面及び具体的な実施例を結合し、本発明について詳しく説明する。
【００４６】
ＣＣをアクティブ化する実施例について、
方法１を採用する場合：
ＵＥがアクティブコマンドを受信できることを保証するために、基地局は、アクティブコマンドを一回以上送信する。
【００４７】
方式Ａ：図２に示すように、ＵＥからのフィードバックに応じて、前記アクティブコマンドが送信されることができる。即ち、基地局にとっては、基地局は、アクティブコマンドを送信した後、ＵＥからのフィードバックメッセージを受信待ちして、所定時刻（アクティブコマンドの送信時刻とフィードバックメッセージの受信時刻との時間間隔が予め設定され、アクティブコマンドの送信時刻と前記時間間隔とによって共に示される時刻を指摘し、例えば、アクティブコマンドを送信してから４ｍｓ後）で、基地局が前記フィードバックメッセージを受信していない場合、基地局がアクティブコマンドを再送信する。ＵＥにとっては、ＵＥは、ＰＤＣＣＨ上でＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ：セル無線ネットワーク一時識別子）で検出を行い、アクティブコマンドが検出された場合、受信成功と認められ、前記アクティブコマンドによって指示されるＣＣをアクティブ化して、所定時刻（例えば、アクティブコマンドを受信してから４ｍｓ後）で、受信成功のフィードバックメッセージを基地局に送信する。
【００４８】
方式Ｂ：図３に示すように、前記アクティブコマンドが、ＵＥのフィードバックに基づかずに送信されることもできる。即ち、基地局にとっては、基地局は、アクティブコマンドを複数回連続送信することで、ＵＥの受信成功を保証する。ＵＥにとっては、ＵＥは、アクティブ化とアクティブ化解除との機能を備えないＣＣのＰＤＣＣＨ上で、Ｃ−ＲＮＴＩで検出を行い、アクティブコマンドが検出された場合、受信成功と認められ、前記アクティブコマンドによって指示されるＣＣをアクティブ化する。基地局から送信された複数のアクティブコマンドにおいて、ＵＥが、いずれかの１つを検出した場合、受信成功と認められる。ＵＥは、フィードバックメッセージを選択可能的に送信する。ＵＥがアクティブコマンドを検出した後、同一のＣＣをアクティブ化するアクティブコマンドを再検出した場合、当該アクティブコマンドを無視する。
【００４９】
基地局は、ＤＣＩ（例えば、アクティブコマンドにおいてフィードバックメッセージがどのＣＣで伝送されることが指示される）、又はシステムメッセージ（例えば、システムメッセージにおいてアクティブ化されるＣＣとアクティブ化成功をフィードバックするＣＣとの固定のマッチング関係が規定され、又は、システムメッセージにおいてアクティブコマンドを受信するＣＣとアクティブ化成功をフィードバックするＣＣとの固定のマッチング関係が規定される）、又はＲＲＣメッセージ（例えば、ＲＲＣメッセージにおいてアクティブ化されるＣＣとアクティブ化成功をフィードバックするＣＣとの固定のマッチング関係が規定され、又は、ＲＲＣメッセージにおいてアクティブコマンドを受信するＣＣとアクティブ化成功をフィードバックするＣＣとの固定のマッチング関係が規定される）を介して、前記アクティブコマンドのフィードバックメッセージを伝送するＣＣを指定する。
【００５０】
即ち、固定のマッチングでないＣＣで伝送される場合、ＤＣＩを利用し、固定のマッチングであるＣＣで伝送される場合、前記マッチング関係がシステムメッセージ、ＲＲＣメッセージを介して通知されることができる。
【００５１】
前記アクティブコマンドは、新導入されたＤＣＩフォーマット、又は既存のＤＣＩフォーマットを採用することができ、ここで、一部のフィールドが、定値を採用させる。例えば、既存フォーマットであるＤＣＩフォーマット１を用いてダウンリンクＣＣをアクティブ化し、ここで、フィールド「リソースブロック割り当て（ｒｅｓｏｕｒｃｅ  ｂｌｏｃｋ  ａｓｓｉｇｎｍｅｎｔ）」、「ＨＡＲＱプロセス識別子（ＨＡＲＱ  ｐｒｏｃｅｓｓ  ｎｕｍｂｅｒ）」、「新データインジケータ（ｎｅｗ  ｄａｔａ  ｉｎｄｉｃａｔｏｒ）」、「冗長バージョン（ｒｅｄｕｎｄａｎｃｙ  ｖｅｒｓｉｏｎ）」、「ＰＵＣＣＨ伝送電力制御コマンド（ＴＰＣ  ｃｏｍｍａｎｄ  ｆｏｒ  ＰＵＣＣＨ）」の値が、いずれも０であってよく、「変調及び符号化方式（ｍｏｄｕｌａｔｉｏｎ  ａｎｄ  ｃｏｄｉｎｇ  ｓｃｈｅｍｅ）」の最上位の値が、０である。例えば、既存フォーマットであるＤＣＩフォーマット０を用いてアップリンクＣＣをアクティブ化し、ここで、フィールド「リソースブロック割り当て及びホッピングリソース割り当て（ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）」、「新データインジケータ（ｎｅｗ  ｄａｔａ  ｉｎｄｉｃａｔｏｒ）」、「ＰＵＳＣＨ伝送電力制御コマンド（ＴＰＣ  ｃｏｍｍａｎｄ  ｆｏｒ  ＰＵＳＣＨ）」、「復調基準信号のサイクリックシフト（ｃｙｃｌｉｃ  ｓｈｉｆｔ  ｆｏｒ  ＤＭ  ＲＳ）」の値が、いずれも０であってよく、「変調及び符号化方式と冗長バージョン（ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）」の最上位の値が、０である。
【００５２】
前記アクティブコマンドは、前記１つ以上のＣＣをアクティブ化するための１つ以上のＣＣの識別子情報を含む。
【００５３】
方法３を採用する場合、
基地局は、ＤＣＩを利用しアクティブコマンドを送信することで、ＣＣをアクティブ化するようにＵＥに指示し、ＵＥが前記ＤＣＩを検出していない場合、基地局が、ＣＣがアクティブ状態にあると認め、一方、ＵＥが、ＣＣがアクティブ解除状態にあると認めることが現れる可能性がある。基地局は、ＵＥをスケジュールして前記ＣＣでデータを伝送するが、ＵＥは、アクティブ解除状態にあるＣＣでデータを伝送できない。これによって、基地局により割り当てられたこの部分のリソースが浪費されてしまう。
【００５４】
このような情況がある場合、ＵＥは、ＣＣの状態を基地局に報告し、前記基地局は、受信されたＣＣ状態に応じて、自局で記憶された前記ＣＣの状態に一致するかどうかを判断し、一致しない場合、アクティブコマンドを前記ＵＥに送信し、ＵＥによって認められた前記ＣＣの状態と前記基地局によって認められた前記ＣＣの状態とが一致するように通知することに用いられる。
【００５５】
ここで、好ましくは、前記ＵＥが、ＭＡＣ制御要素の方式でＣＣの状態を基地局に報告する。
【００５６】
前記ＭＡＣ制御要素は、アクティブ状態にあるＣＣの識別子情報、及び／又は、アクティブ解除状態にあるＣＣの識別子情報を含み、又は、前記ＭＡＣ制御要素は、アクティブ状態にあるＣＣ及び／又はアクティブ解除状態にあるＣＣを示すビットマップを含む。
【００５７】
基地局は、報告されたＣＣ状態に応じて、ＵＥにとって、どれらのＣＣがアクティブ化されたか、どれらのＣＣがアクティブ化解除されたかを認識できる。
【００５８】
前記ＵＥがＣＣの状態を基地局に報告する条件は、少なくとも以下の１つを含む。
１）周期的に報告すること、
２）前記ＵＥが、アクティブコマンド又はアクティブ解除コマンドを受信したこと、
３）前記ＵＥが基地局から送信されたＭＡＣ制御要素を受信し、ＣＣの状態を報告することをＵＥに要求すること、
４）アップリンク許可のパディングビットが、前記ＭＡＣ制御要素及びそのＭＡＣサブヘッダをパディングできるように十分であること。
【００５９】
前記周期的に報告することは、周期タイマーがタイムアウトした場合、報告が行われることを指す。毎回報告する場合、前記周期タイマーが起動又は再起動される。基地局は、システムメッセージ（例えば、ＳＩＢ２）又はＲＲＣメッセージ（例えば、ＲＲＣ接続再構成メッセージ）を介して、前記周期タイマーの時間長さをＵＥに通知する。
【００６０】
即ち、ＵＥは、ＣＣの状態情報を自動的に報告することができる。例えば、ＵＥ自体は、１つのタイマー（周期タイマー）をメンテナンスし、タイマーがタイムアウトした場合、現在のＣＣ状態を報告する。また、アップリンクリソースが十分である場合、ＵＥは、現在のＣＣ状態を報告することもできる。ＵＥは、ＣＣの状態情報を被動的に報告することもできる。例えば、基地局は、任意の１つのアクティブ状態にあるＣＣで、メッセージ（例えば、ＭＡＣ制御要素）を送信することで、ＣＣの状態情報を報告するようにＵＥに要求する。ＵＥが前記メッセージを受信した場合、ＣＣの状態情報を報告する。また、アクティブコマンドも、今回のアクティブコマンドのフィードバックとしてＣＣの状態情報を報告するようにＵＥをトリガーすることができる。
【００６１】
非パディングビットを用いてＣＣ状態を伝送する（即ち、ＵＥがＣＣの状態を基地局に報告する上記の条件のうちの第１〜第３に対する）ＭＡＣ制御要素の優先度は、Ｃ−ＲＮＴＩを伝送するＭＡＣ制御要素より低い、アップリンク共通制御チャネル（ＵＬ−ＣＣＣＨ）からのデータより低い、非パディングビットを用いてバッファ状態レポート（ＢＳＲ）を伝送するＭＡＣ制御要素より高い。
【００６２】
パディングビットを用いてＣＣ状態を伝送する（即ち、ＵＥがＣＣの状態を基地局に報告する上記の条件のうちの第４に対する）ＭＡＣ制御要素の優先度は、ロジックチャネルからのデータより低い、パディングビットを用いてＢＳＲを伝送するＭＡＣ制御要素より低い。
【００６３】
ＣＣをアクティブ化解除する実施例について、
方法１を採用する場合、
ＣＣをアクティブ化する処理に類似する。
ＵＥがアクティブ解除コマンドを受信できたことを保証するために、基地局は、アクティブ解除コマンドを１回以上送信する。
【００６４】
方式Ａ：図４に示すように、前記アクティブ解除コマンドが、ＵＥからのフィードバックに応じて送信されることができる。即ち、基地局にとっては、基地局は、アクティブ解除コマンドを送信した後、ＵＥからのフィードバックメッセージを受信待ちして、所定時刻（アクティブ解除コマンドの送信時刻とフィードバックメッセージの受信時刻との時間間隔が予め設定され、アクティブコマンドの送信時刻と前記時間間隔とによって共に示される時刻を指摘し、例えば、アクティブ解除コマンドを送信してから４ｍｓ後）で、基地局が前記フィードバックメッセージを受信した場合、基地局がアクティブ化解除成功と認められ、基地局が前記フィードバックメッセージを受信していない場合、基地局がアクティブ解除コマンドを再送信し、又は、基地局がアクティブ解除コマンドを送信しない。ＵＥにとっては、ＵＥは、ＰＤＣＣＨ上でＣ−ＲＮＴＩで検出を行い、アクティブ解除コマンドが検出された場合、受信成功と認められ、前記アクティブ解除コマンドによって指示されるＣＣをアクティブ化解除して、所定時刻（例えば、アクティブ解除コマンドを受信してから４ｍｓ後）で、受信成功のフィードバックメッセージを基地局に送信する。
【００６５】
方式Ｂ：図５に示すように、前記アクティブ解除コマンドが、ＵＥのフィードバックに基づかずに送信されることもできる。即ち、基地局にとっては、基地局は、アクティブ解除コマンドを複数回連続送信することで、ＵＥの受信成功を保証する。ＵＥにとっては、ＵＥは、ＰＤＣＣＨ上でＣ−ＲＮＴＩで検出を行い、アクティブ解除コマンドが検出された場合、受信成功と認められ、前記アクティブ解除コマンドによって指示されるＣＣをアクティブ化解除する。ＵＥは、基地局から送信された複数のアクティブ解除コマンドにおいて、いずれか１つを検出した場合、受信成功と認められる。ＵＥは、フィードバックメッセージを選択可能的に送信する。ＵＥがアクティブ解除コマンドを検出した後、同一のＣＣをアクティブ化解除するアクティブ解除コマンドを再検出した場合、当該アクティブ解除コマンドを無視する。
【００６６】
基地局は、ＤＣＩ（例えば、アクティブ解除コマンド中においてフィードバックメッセージがどのＣＣで伝送されることが指示される）、又はシステムメッセージ（例えば、システムメッセージにおいてアクティブ解除コマンドを受信するＣＣとアクティブ化解除成功をフィードバックするＣＣとの固定のマッチング関係が規定される）、又はＲＲＣメッセージ（例えば、ＲＲＣメッセージにおいてアクティブ解除コマンドを受信するＣＣとアクティブ化解除成功をフィードバックするＣＣとの固定のマッチング関係が規定される）を介して、前記アクティブ解除コマンドのフィードバックメッセージを伝送するＣＣを指定する。
【００６７】
前記アクティブ解除コマンドは、新導入されたＤＣＩフォーマット、又は既存のＤＣＩフォーマットを採用することができる。例えば、既存フォーマットであるＤＣＩフォーマット１を用いてダウンリンクＣＣをアクティブ化解除する場合、フィールド「リソースブロック割り当て（ｒｅｓｏｕｒｃｅ  ｂｌｏｃｋ  ａｓｓｉｇｎｍｅｎｔ）」、「ＨＡＲＱプロセス識別子（ＨＡＲＱ  ｐｒｏｃｅｓｓ  ｎｕｍｂｅｒ）」、「新データインジケータ（ｎｅｗ  ｄａｔａ  ｉｎｄｉｃａｔｏｒ）」、「冗長バージョン（ｒｅｄｕｎｄａｎｃｙ  ｖｅｒｓｉｏｎ）」、「ＰＵＣＣＨ伝送電力制御コマンド（ＴＰＣ  ｃｏｍｍａｎｄ  ｆｏｒ  ＰＵＣＣＨ）」の値が、いずれも０であってよく、「変調及び符号化方式（ｍｏｄｕｌａｔｉｏｎ  ａｎｄ  ｃｏｄｉｎｇ  ｓｃｈｅｍｅ）」の最上位の値が、０である。例えば、既存フォーマットであるＤＣＩフォーマット０を用いてアップリンクＣＣをアクティブ化解除する場合、フィールド「リソースブロック割り当てとホッピングリソース割り当て（ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）」、「新データインジケータ（ｎｅｗ  ｄａｔａ  ｉｎｄｉｃａｔｏｒ）」、「ＰＵＳＣＨ伝送電力制御コマンド（ＴＰＣ  ｃｏｍｍａｎｄ  ｆｏｒ  ＰＵＳＣＨ）」、「復調基準信号のサイクリックシフト（ｃｙｃｌｉｃ  ｓｈｉｆｔ  ｆｏｒ  ＤＭ  ＲＳ）」の値が、いずれも０であってよく、「変調及び符号化方式と冗長バージョン（ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）」の最上位の値が、０である。
【００６８】
前記アクティブ解除コマンドが、前記アクティブ解除コマンドによって指示されるＣＣを介して伝送され、且つ、１つのＣＣ（即ち、アクティブ解除コマンドを伝送するＣＣ）のみをアクティブ化解除する場合、ＣＣの識別子情報が含まれなくてもよい。前記アクティブ解除コマンドが、指示されるＣＣを介さないで伝送される場合、又は、当該アクティブ解除コマンドが複数のＣＣをアクティブ化解除する場合、当該アクティブ解除コマンドには、１つ以上のＣＣをアクティブ化解除するための１つ以上のＣＣの識別子情報が含まれる。
【００６９】
方法２を採用する場合、
ＵＥは、１つ以上のタイマーをメンテナンスする。前記タイマーがタイムアウト又は停止した場合、ＵＥは、前記タイマーに対応する１つ以上のＣＣをアクティブ化解除する。又は、前記タイマーがタイムアウト又は停止した場合、ＵＥは、前記タイマーに対応する１つ以上のＣＣの識別子情報を基地局に報告する。
【００７０】
好ましくは、前記ＵＥが前記タイマーに対応する１つ以上のＣＣをアクティブ化解除した後、前記ＵＥが、メッセージを基地局に送信して、前記アクティブ化解除された１つ以上のＣＣの識別子情報を基地局に通知する。
【００７１】
好ましくは、前記基地局が、１つ以上のＣＣの識別子情報を含むメッセージを受信した場合、前記識別子情報に応じて、前記ＣＣに対するアクティブ解除コマンド及び／又はスケジューリングコマンドを前記ＵＥに送信する。
【００７２】
前記メッセージは、ＭＡＣ制御要素のフォーマットを用いる。
【００７３】
前記タイマーは、タイミング調整タイマー（ＴＡＴ）、アクティブ化のタイマー又はアクティブ化解除のタイマーであってよい。
【００７４】
（１）前記タイマーがタイミング調整タイマーである場合、
前記タイミング調整タイマーは、アクティブ化とアクティブ化解除との機能を備える１つ以上のＣＣに対応する。
【００７５】
前記ＵＥが１つのタイミング調整タイマーのみをメンテナンスする場合、前記タイミング調整タイマーがタイムアウト又は停止した場合、ＵＥは、アクティブ化とアクティブ化解除との機能を備える全てのＣＣをアクティブ化解除し、且つ、選択可能的に、アクティブ化とアクティブ化解除との機能を備えないＣＣ（例えば、ランダムアクセス機能を提供する）で、ランダムアクセスを行うことで、アップリンク同期が回復された後、アクティブ化解除するＣＣの識別子情報を基地局に報告する。
【００７６】
前記ＵＥが複数のタイミング調整タイマーをメンテナンスする場合、前記タイミング調整タイマーがタイムアウト又は停止した場合、ＵＥは、前記タイミング調整タイマーに対応する１つ以上のアクティブ化とアクティブ化解除との機能を備えるＣＣをアクティブ化解除し、且つ、選択可能的に、アクティブ化とアクティブ化解除との機能を備えないＣＣ又はアクティブ状態にあるＣＣで、アクティブ化解除するＣＣの識別子情報を基地局に報告する。
【００７７】
（２）前記タイマーが新導入されたタイマー（「アクティブ化のタイマー」）である場合、
前記アクティブ化のタイマーは、１つのアクティブ化とアクティブ化解除との機能を備えるＣＣに対応する。
【００７８】
前記アクティブ化解除タイマーに対応するＣＣは、前記ＵＥのサービングセル（ｓｅｒｖｉｎｇ  ｃｅｌｌ）とするＣＣ、前記ＵＥのプライマリサービングセル（ｐｒｉｍａｒｙ  ｓｅｒｖｉｎｇ  ｃｅｌｌ）とするＣＣ、ＵＥのスペシャルセル（ｓｐｅｃｉａｌ  ｃｅｌｌ）とするＣＣ、アンカー（ａｎｃｈｏｒ）ＣＣとするＣＣ、同期及び／又はアクセス及び／又はシステム情報及び／又は呼び出し機能を提供するＣＣ、測定と参照及び／又はハンドオーバー及び／又はランダムアクセスの場合の優先選択ＣＣとするＣＣ、安全入力パラメータ及び／又は非アクセス層移動性管理の情報を提供するＣＣを含まない。
【００７９】
アクティブ化のタイマーがタイムアウトした場合、ＵＥは、前記アクティブ化のタイマーに対応するＣＣをアクティブ化解除し、且つ、前記ＣＣの識別子情報を基地局に選択可能的に報告し、又は、ＵＥは、前記ＣＣの識別子情報を基地局に報告し、基地局からの後続コマンド処理を待ち、例えば、基地局がアクティブ解除コマンドを送信する場合、ＵＥが、前記アクティブ解除コマンドに従って、前記ＣＣをアクティブ化解除する。ＵＥが前記ＣＣで報告する場合、識別子情報が含まれなくてもよい。
【００８０】
前記基地局は、システムメッセージ（例えば、ＳＩＢ２）又はＲＲＣメッセージ（例えば、ＲＲＣ接続再構成メッセージ）を介して、前記アクティブ化のタイマーの時間長さを前記ＵＥに通知する。
【００８１】
前記ＵＥがアクティブ化のタイマーを停止する条件は、少なくとも下記の１つを含む。即ち、前記ＵＥがアクティブ解除コマンドを受信したこと（前記アクティブ解除コマンドが前記アクティブ化のタイマーに対応するＣＣをアクティブ化解除することを示し、前記アクティブ解除コマンドが明示的であり、ＤＣＩ又はＭＡＣ制御要素又はＲＲＣメッセージである）、又は、タイミング調整タイマーがタイムアウト（即ち、アップリンク脱同期化）したこと（前記タイムアウトしたタイミング調整タイマーに対応する１つ以上のＣＣが、前記アクティブ化のタイマーに対応するＣＣを含む）。
【００８２】
前記ＵＥがアクティブ化のタイマーを起動又は再起動する条件は、少なくとも以下の１つを含む。
１）前記ＵＥが、前記アクティブ化のタイマーに対応するＣＣをアクティブ化するように指示するアクティブコマンドを受信したこと（前記アクティブコマンドが明示的又は暗黙的であり、前記アクティブコマンドがＤＣＩ又はＭＡＣ制御要素又はＲＲＣメッセージである）、
２）前記ＵＥが、前記アクティブ化のタイマーに対応するＣＣで、初送又は再送を指示するダウンリンク割り当てを受信したこと（前記アクティブ化のタイマーに対応するＣＣでデータを受信することを指示する）、
３）前記ＵＥが、前記アクティブ化のタイマーに対応するＣＣで、初送又は再送を指示するアップリンク許可を受信したこと、
４）前記ＵＥが、前記アクティブ化のタイマーに対応するＣＣで、アップリンクデータの送信失敗を示すフィードバックメッセージ（ＮＡＣＫ）を受信したこと、
５）前記ＵＥが、アップリンクデータを送信待ちして、前記アクティブ化のタイマーに対応するＣＣで、アップリンク許可を受信待ちすること。
【００８３】
マルチキャリアスケジューリング（ｃｒｏｓｓ  ｃａｒｒｉｅｒ  ｓｃｈｅｄｕｌｉｎｇ）をサポートする場合、前記ＵＥがアクティブ化のタイマーを起動又は再起動する条件は、少なくとも以下の１つを含む。
１）前記ＵＥが、ダウンリンク割り当て（初送又は再送を指示することを含む）を受信し、前記アクティブ化のタイマーに対応するＣＣでデータを受信することを指示する。前記ダウンリンク割り当てが、前記アクティブ化のタイマーに対応するＣＣで受信されることができ、他のＣＣで受信されることもできる。
２）前記ＵＥが、アップリンク許可（初送又は再送を指示することを含む）を受信し、前記アクティブ化のタイマーに対応するＣＣでフィードバックを受信することを指示する。前記ダウンリンク割り当てが、前記アクティブ化のタイマーに対応するＣＣで受信されることができ、他のＣＣで受信されることもできる。前記フィードバックを受信することを指示することは、前記アップリンク許可には、前記アクティブ化のタイマーに対応するＣＣの識別子情報が含まれ、前記ＣＣでフィードバックすることを指示し、又は、前記アップリンク許可がアップリンクデータを送信することを指示するＣＣが、システムメッセージ又はＲＲＣメッセージにおいて、前記アクティブ化のタイマーに対応するＣＣが前記アップリンク許可によって指示されるＣＣで送信されたアップリンクデータに対してフィードバックを行うことに用いられることを指示する。
【００８４】
非連続受信（ＤＲＸ）をサポートする場合、前記ＵＥがアクティブ化のタイマーを起動又は再起動する条件は、少なくとも以下の１つを含む。
１）前記アクティブ化のタイマーに対応するＣＣに対応するＤＲＸインアクティビティタイマー（ｄｒｘ−ＩｎａｃｔｉｖｉｔｙＴｉｍｅｒ）が起動又は再起動されたこと、
２）前記アクティブ化のタイマーに対応するＣＣの任意の１つのダウンリンクＨＡＲＱプロセスに対応する再送タイマー（ｄｒｘ−ＲｅｔｒａｎｓｍｉｓｓｉｏｎＴｉｍｅｒ）が起動されたこと。
【００８５】
ランダムアクセスをサポートする場合、前記ＵＥがアクティブ化のタイマーを起動又は再起動する条件は、少なくとも以下の１つを含む。
１）競合ランダムアクセスプロセスにおいて、競合解決のためのタイマー（ｍａｃ−ＣｏｎｔｅｎｔｉｏｎＲｅｓｏｌｕｔｉｏｎＴｉｍｅｒ）が起動又は再起動されたこと、
２）非競合ランダムアクセスプロセスにおいて、ランダムアクセスが成功した後、前記ＵＥが、初送を指示するダウンリンク割り当て又はアップリンク許可を受信待ちすること。
【００８６】
ＵＥが前記アクティブ解除コマンドを受信した場合、タイマーを起動又は再起動する上記の条件が満たされても、タイマーを停止する。
ここで、タイマーを「起動する」ことは、当該タイマーが以前に停止状態にあったことを指すが、タイマーを「再起動する」ことは、当該タイマーが以前に運行状態にあったことを指す。
【００８７】
（３）前記タイマーが新導入されたタイマー（「アクティブ化解除のタイマー」）である場合、
前記アクティブ化解除のタイマーが１つのアクティブ化とアクティブ化解除との機能を備えるＣＣに対応する。
【００８８】
前記アクティブ化解除のタイマーに対応するＣＣは、前記ＵＥのサービングセル（ｓｅｒｖｉｎｇ  ｃｅｌｌ）とするＣＣ、前記ＵＥのプライマリサービングセル（ｐｒｉｍａｒｙ  ｓｅｒｖｉｎｇ  ｃｅｌｌ）とするＣＣ、ＵＥのスペシャルセル（ｓｐｅｃｉａｌ  ｃｅｌｌ）とするＣＣ、アンカー（ａｎｃｈｏｒ）ＣＣとするＣＣ、同期及び／又はアクセス及び／又はシステム情報及び／又は呼び出し機能を提供するＣＣ、測定と参照及び／又はハンドオーバー及び／又はランダムアクセスの場合の優先選択ＣＣとするＣＣ、安全入力パラメータ及び／又は非アクセス層移動性管理の情報を提供するＣＣを含まない。
【００８９】
当該タイマーがタイムアウトした場合に、ＵＥは、対応するＣＣをアクティブ化解除する。即ち、アクティブ化解除のタイマーの所定時間長さ内で、前記アクティブ化解除のタイマーに対応する１つ以上のアクティブ化・アクティブ化解除の機能を備えるＣＣで、データ伝送がない（ダウンリンクＣＣを例とし、ダウンリンク制御情報、ダウンリンクデータ、ダウンリンクフィードバックメッセージが受信されていないことを指す）場合、ＵＥは、前記ＣＣをアクティブ化解除し、且つ、前記ＣＣの識別子情報を基地局に選択可能的に報告し、又は、ＵＥは、前記ＣＣの識別子情報を基地局に報告し、基地局の後続コマンド処理を待ち、例えば、基地局がアクティブ解除コマンドを送信する場合、ＵＥが、前記アクティブ解除コマンドに従って、前記ＣＣをアクティブ化解除する。ＵＥが前記ＣＣで報告する場合、識別子情報が含まれなくてもよい。
【００９０】
前記基地局は、システムメッセージ（例えば、ＳＩＢ２）又はＲＲＣメッセージ（例えば、ＲＲＣ接続再構成メッセージ）を介して、前記アクティブ化解除のタイマーの時間長さを前記ＵＥに通知する。
【００９１】
前記ＵＥがアクティブ化解除のタイマーを起動又は再起動する条件は、少なくとも以下の１つを含む。
１）前記アクティブ化解除のタイマーに対応するＣＣで、ダウンリンク伝送の受信が成功したこと（例えば、ＵＥがＡＣＫを送信する時刻）、
２）前記アクティブ化解除のタイマーに対応するＣＣで、アップリンク伝送の送信が成功したこと（例えば、ＵＥがＡＣＫを受信した時刻）。
【００９２】
ＤＲＸをサポートする場合、前記ＵＥがアクティブ化解除のタイマーを起動又は再起動する条件は、少なくとも以下の１つを含む。
１）前記アクティブ化解除のタイマーに対応するＣＣに対応するＤＲＸインアクティビティタイマー（ｄｒｘ−ＩｎａｃｔｉｖｉｔｙＴｉｍｅｒ）がタイムアウトしたこと、
２）前記アクティブ化解除のタイマーに対応するＣＣの全てのダウンリンクＨＡＲＱプロセスのＤＲＸ再送タイマー（ｄｒｘ−ＲｅｔｒａｎｓｍｉｓｓｉｏｎＴｉｍｅｒ）がタイムアウトしたこと。
【００９３】
前記ＵＥがアクティブ化解除のタイマーを停止する条件は、少なくとも以下の１つを含む。
１）前記ＵＥが、前記アクティブ化解除のタイマーに対応するＣＣで、アップリンク許可を受信したこと、
２）前記ＵＥが、前記アクティブ化解除のタイマーに対応するＣＣで、ダウンリンク割り当てを受信したこと、
３）前記アクティブ化解除のタイマーに対応するＣＣで、アップリンク伝送の送信が失敗したこと（例えば、ＮＡＣＫを受信した時刻）、
４）前記アクティブ化解除のタイマーに対応するＣＣで、ダウンリンク伝送の受信が失敗したこと（例えば、ＮＡＣＫを送信する時刻）。
【００９４】
マルチキャリアスケジューリング（ｃｒｏｓｓ  ｃａｒｒｉｅｒ  ｓｃｈｅｄｕｌｉｎｇ）をサポートする場合、前記ＵＥがアクティブ化解除のタイマーを停止する条件は、少なくとも以下の１つを含む。
１）前記ＵＥが、ダウンリンク割り当て（初送又は再送の指示を含む）を受信し、前記アクティブ化解除のタイマーに対応するＣＣでデータを受信することを指示する。前記ダウンリンク割り当てが、前記アクティブ化解除のタイマーに対応するＣＣで受信されることができ、他のＣＣで受信されることもできる。
２）前記ＵＥが、アップリンク許可（初送又は再送の指示を含む）を受信し、前記アクティブ化解除のタイマーに対応するＣＣでフィードバックを受信する。前記アップリンク許可が、前記アクティブ化解除のタイマーに対応するＣＣで受信されることができ、他のＣＣで受信されることもできる。前記フィードバックを受信することを指示することは、前記アップリンク許可には、前記アクティブ化解除のタイマーに対応するＣＣの識別子情報が含まれ、前記ＣＣでフィードバックすることを指示し、又は、前記アップリンク許可がアップリンクデータを送信することを指示するＣＣが、システムメッセージ又はＲＲＣメッセージにおいて、前記アクティブ化解除のタイマーに対応するＣＣが前記アップリンク許可によって指示されるＣＣで送信されたアップリンクデータに対してフィードバックを行うことに用いられることを指摘する。
【００９５】
方法３を採用する場合、
ＣＣをアクティブ化するプロセスに類似する。
【００９６】
基地局は、アクティブ解除コマンドを送信することで、ＣＣをアクティブ化解除するようにＵＥに指示し、ＵＥが前記アクティブ解除コマンドを検出していない場合、基地局がＣＣがアクティブ解除状態にあると認め、一方、ＵＥがＣＣがアクティブ状態にあると認めることが現れる可能性がある。基地局は、ＵＥをスケジュールしていないが、ＵＥは、基地局のスケジューリングをずっと待っている。これによって、ＵＥの電力消耗を招いてしまう。
【００９７】
このような情況がある場合、ＵＥは、ＣＣの状態を基地局に報告し、前記基地局は、受信されたＣＣ状態に応じて、自局で記憶された前記ＣＣの状態に一致するかどうかを判断し、一致しない場合、前記ＣＣの状態に対応するアクティブ解除コマンドを前記ＵＥに送信し、ＵＥによって認められた前記ＣＣの状態と前記基地局によって認められた前記ＣＣの状態とが一致することを指示することに用いられる。
【００９８】
ここで、好ましくは、前記ＵＥが、ＭＡＣ制御要素の方式でＣＣの状態を基地局に報告する。
【００９９】
前記ＭＡＣ制御要素は、アクティブ状態にあるＣＣの識別子情報、及び／又は、アクティブ解除状態にあるＣＣの識別子情報を含み、又は、前記ＭＡＣ制御要素はアクティブ状態にあるＣＣ及び／又はアクティブ解除状態にあるＣＣを示すビットマップを含む。
【０１００】
基地局は、報告されたＣＣ状態に応じて、ＵＥにとって、どれらのＣＣがアクティブ化されたか、どれらのＣＣがアクティブ化解除されたかを認識することができる。
前記ＵＥがＣＣの状態を基地局に報告する条件は、少なくとも以下の１つを含む。
１）周期的に報告すること、
２）前記ＵＥが、アクティブコマンド又はアクティブ解除コマンドを受信したこと、
３）前記ＵＥが、基地局から送信されたＭＡＣ制御要素を受信し、ＣＣの状態を報告することをＵＥに要求すること、
４）アップリンク許可のパディングビットが、前記ＭＡＣ制御要素及びそのＭＡＣサブヘッダをパディングできるように十分であること。
【０１０１】
前記周期的に報告することは、周期タイマーがタイムアウトした場合、報告が行われることを指す。毎回報告する場合に、前記周期タイマーが起動又は再起動される。基地局は、システムメッセージ（例えば、ＳＩＢ２）又はＲＲＣメッセージ（例えば、ＲＲＣ接続再構成メッセージ）を介して、前記周期タイマーの時間長さをＵＥに通知する。
【０１０２】
即ち、ＵＥは、ＣＣの状態情報を自動的に報告することができる。例えば、ＵＥ自体は、１つのタイマー（周期タイマー）をメンテナンスし、タイマーがタイムアウトした場合、現在のＣＣ状態を報告する。また、アップリンクリソースが十分である場合、ＵＥは、現在のＣＣ状態を報告することもできる。ＵＥは、ＣＣの状態情報を被動的に報告することもできる。例えば、基地局は、アクティブ状態にある任意の１つのＣＣで、メッセージ（例えば、ＭＡＣ制御要素）を送信することで、ＣＣの状態情報を報告するようにＵＥに要求する。ＵＥが前記メッセージを受信した場合、ＣＣの状態情報を報告する。また、今回のアクティブコマンドのフィードバックとしてＣＣの状態情報を報告するようにＵＥをトリガーすることができる。
【０１０３】
非パディングビットを用いてＣＣ状態を伝送するＭＡＣ制御要素の優先度は、Ｃ−ＲＮＴＩを伝送するＭＡＣ制御要素より低い、アップリンク共通制御チャネル（ＵＬ−ＣＣＣＨ）からのデータより低い、非パディングビットを用いてバッファ状態レポート（ＢＳＲ）を伝送するＭＡＣ制御要素より高い。
【０１０４】
パディングビットを用いてＣＣ状態を伝送するＭＡＣ制御要素の優先度は、ロジックチャネルからのデータより低い、パディングビットを用いてＢＳＲを伝送するＭＡＣ制御要素より低い。
【０１０５】
以上３つの方法に対する補足について、
前記識別子情報は、ＣＣの周波数ポイント、及び／又はＣＣのインデックス、及び／又は物理セル識別子（Ｐｈｙｓｉｃａｌ  Ｃｅｌｌ  Ｉｄｅｎｔｉｆｉｅｒ：ＰＣＩ）、及び／又は発展型ユニバーサル地上無線アクセスネットワークセルグローバル識別子（Ｅ−ＵＴＲＡＮ  Ｃｅｌｌ  Ｇｌｏｂａｌ  Ｉｄｅｎｔｉｆｉｅｒ：ＥＣＧＩ）を指す。
【０１０６】
ＣＣをアクティブ化及び／又はアクティブ化解除する場合、それとマッチングされるＣＣが、対応してアクティブ化及び／又はアクティブ化解除され、又は、元の状態を維持する。
【０１０７】
前記アクティブ化とアクティブ化解除との機能を備えないＣＣは、少なくとも以下の１つを満たす。
前記ＵＥのサービングセル（ｓｅｒｖｉｎｇ  ｃｅｌｌ）とし、前記ＵＥのプライマリサービングセル（ｐｒｉｍａｒｙ  ｓｅｒｖｉｎｇ  ｃｅｌｌ）とし、ＵＥのスペシャルセル（ｓｐｅｃｉａｌ  ｃｅｌｌ）とし、アンカー（ａｎｃｈｏｒ）ＣＣとし、同期、及び／又はアクセス、及び／又はシステム情報、及び／又は呼び出し機能を提供するＣＣであり、測定と参照、及び／又はハンドオーバー、及び／又はランダムアクセスの場合の優先選択ＣＣとし、安全入力パラメータ及び／又は非アクセス層（Ｎｏｎ−Ａｃｃｅｓｓ  Ｓｔａｄｉｕｍ：ＮＡＳ）移動性管理の情報を提供するＣＣである。
【０１０８】
本発明実施例のマルチキャリアシステムにおけるコンポーネントキャリアのアクティブ化・アクティブ化解除の最適化システムは、
ＤＣＩを介してアクティブコマンドをＵＥに送信することで、前記ＣＣをアクティブ化するようにＵＥに指示し、ＤＣＩを介してアクティブ解除コマンドをＵＥに送信することで、前記ＣＣをアクティブ化解除するようにＵＥに指示する、ように設定される基地局と、
前記アクティブコマンドを成功的に受信した場合、前記ＣＣをアクティブ化して、受信成功のフィードバックメッセージを前記基地局に送信し、前記アクティブ解除コマンドを成功的に受信した場合、前記ＣＣをアクティブ化解除して、受信成功のフィードバックメッセージを前記基地局に送信するように設定されるＵＥとを含む。
【０１０９】
本発明実施例のマルチキャリアシステムにおけるコンポーネントキャリアのアクティブ化・アクティブ化解除の最適化システムは、
ＤＣＩを介してアクティブコマンドをＵＥに複数回連続送信することで、ＣＣをアクティブ化するようにＵＥに指示し、及び、ＤＣＩを介してアクティブ解除コマンドをＵＥに複数回連続送信することで、ＣＣをアクティブ化解除するようにＵＥに指示するように設定される基地局と、
前記複数回のアクティブコマンドを１回以上成功的に受信した場合、前記ＣＣをアクティブ化し、前記複数回のアクティブ解除コマンドを１回以上成功的に受信した場合、前記ＣＣをアクティブ化解除するように設定されるＵＥとを含む。
【０１１０】
本発明実施例のマルチキャリアシステムにおけるコンポーネントキャリアのアクティブ化・アクティブ化解除の最適化システムは、
１つ以上のタイマーをメンテナンスし、前記タイマーがタイムアウト又は停止した場合、前記ＵＥが前記タイマーに対応する１つ以上のＣＣをアクティブ化解除し、又は、前記タイマーがタイムアウト又は停止した場合、前記タイマーに対応する１つ以上のＣＣの識別子情報を基地局に報告するように設定されるＵＥと、
受信された識別子情報に応じて、前記ＣＣに対するアクティブ解除コマンド及び／又はスケジューリングコマンドを前記ＵＥに送信するように設定される基地局とを含む。
【０１１１】
本発明実施例のマルチキャリアシステムにおけるコンポーネントキャリアのアクティブ化・アクティブ化解除の最適化システムは、
ＣＣの状態を基地局に報告するように設定されるＵＥと、
受信されたＣＣ状態に応じて、自局で記憶された前記ＣＣの状態に一致するかどうかを判断し、一致しない場合、アクティブコマンド及び／又はアクティブ解除コマンドを前記ＵＥに送信するように設定される基地局とを含む。
【０１１２】
以上の説明からわかるように、本発明は、ＬＴＥ−Ａシステムキャリアアグリゲーションにおけるアクティブ化・アクティブ化解除の信頼性がある解決策を提供し、当該解決策には、構成と動作が簡単であり、基地局とＵＥとの間のＣＣ状態が一致することを保証するなどの利点がある。
【０１１３】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【産業上の利用可能性】
【０１１４】
従来技術と比べると、本発明は、ＬＴＥ−Ａシステムキャリアアグリゲーション技術のアクティブ化・アクティブ化解除の信頼性を向上させることができ、構成と動作が簡単であり、基地局とＵＥとの間のＣＣ状態が一致することを保証するなどの利点がある。
【図１】
0005525061.tif 000002
【図２】
0005525061.tif 000003
【図３】
0005525061.tif 000004
【図４】
0005525061.tif 000005
【図５】
0005525061.tif 000006